(57)【要約】【課題】利用者が意図しない画像編集洩れを防止し、撮影画像に対して１枚ずつ十分画像編集を行うことができ、撮影に要した時間に相対して画像編集時間が決定される写真シール自動販売機を提案する。【解決手段】撮影工程で利用者を撮影する撮影手段と、前記撮影工程で撮影した撮影画像に対して編集工程で利用者に画像編集を許容する入力手段と、前記画像編集された編集画像から所定の画像を写真シールシートとして印刷する印刷手段と、前記各手段を実行する制御手段とを備えた写真シール自動販売装置であって、前記撮影工程により複数の撮影画像を取得した後、制限時間を設定した前記編集工程を上記撮影画像毎に実行する処理と、先の編集工程が制限時間内に終了したとき、後の編集工程の制限時間を長くする処理とを前記制御手段に設定した。【選択図】　　図５
2004078897.tif 000002
【特許請求の範囲】
【請求項１】
撮影手段と入力手段と印刷手段とを備えた写真シール自動販売装置が、
利用者を前記撮影手段で撮影する撮影工程と、
該撮影工程で撮影した撮影画像に対して利用者に前記入力手段で画像編集を許容する編集工程と、
前記画像編集された編集画像から所定の画像を前記印刷手段で写真シールシートとして印刷する処理とを実行する写真シール自動販売方法であって、
前記撮影工程により複数の撮影画像を取得した後、制限時間を設定した前記編集工程を上記撮影画像毎に実行し、
先の編集工程が制限時間内に終了したとき、後の編集工程の制限時間を長くする写真シール自動販売方法。
【請求項２】
前記後の編集工程で、先の編集工程の編集画像を編集可能にする
請求項１記載の写真シール自動販売方法。
【請求項３】
前記撮影工程は、１つの撮影画像を決定するまで撮影のやり直しを許容する
請求項１又は２記載の写真シール自動販売方法。
【請求項４】
撮影工程で利用者を撮影する撮影手段と、
前記撮影工程で撮影した撮影画像に対して編集工程で利用者に画像編集を許容する入力手段と、
前記画像編集された編集画像から所定の画像を写真シールシートとして印刷する印刷手段と、
前記各手段を実行する制御手段とを備えた写真シール自動販売装置であって、
前記撮影工程により複数の撮影画像を取得した後、制限時間を設定した前記編集工程を上記撮影画像毎に実行する処理と、
先の編集工程が制限時間内に終了したとき、後の編集工程の制限時間を長くする処理とを前記制御手段に設定した
写真シール自動販売装置。
【請求項５】
前記後の編集工程で、先の編集工程の編集画像を編集可能にする処理を前記制御手段に設定した
請求項４記載の写真シール自動販売装置。
【請求項６】
前記撮影工程を、１つの撮影画像を決定するまで撮影のやり直しを許容するよう設定した
請求項４又は５記載の写真シール自動販売装置。
【発明の詳細な説明】
【０００１】
【発明の属する技術分野】
この発明は、例えばゲームセンター等のアミューズメント施設において、デジタルカメラ等のカメラで写真を撮影し、その画像をプリンタにてシール紙に印刷するような写真シール自動販売方法とその装置に関する。
【０００２】
【従来の技術】
従来、上述の写真シール自動販売装置としては、被写体を一定回数以内で撮影し、その撮影画像に対して文字やマーク等の落書きを書込む画像編集機能を有するものが提案されている。このような写真シール自動販売装置は、まず一定枚数以内の撮影画像を得るための撮影工程があり、該撮影工程終了後に撮影した各撮影画像に対して画像編集を行う編集工程が設けられている。
【０００３】
【発明が解決しようとする課題】
上述のような写真シール自動販売機は、撮影工程と編集工程が完全に分離しているため、例えば撮影工程で３枚撮影した場合であれば、次の編集工程で制限時間内に１枚目は十分画像編集できたが、２枚目は途中まで、３枚目は全く画像編集できなかったというようなことが起こり、利用者の不満につながっていた。
【０００４】
また、複数枚数撮影した後に無秩序に画像編集を行うため、本当に画像編集したかった撮影画像に画像編集するのを忘れてしまい、写真シールシートとして印刷された後に気づくこともあった。
また、例えば画像編集時間が長いことを望む利用者であっても、撮影を早く済ましても画像編集時間をその分延長するようなことはできなかった。
【０００５】
この発明は、利用者が意図しない画像編集洩れを防止し、撮影画像に対して１枚ずつ十分画像編集を行うことができ、撮影に要した時間に相対して画像編集時間が決定される写真シール自動販売機を提案することを目的とする。
【０００６】
【課題を解決するための手段】
この発明は、撮影手段と入力手段と印刷手段とを備えた写真シール自動販売装置が、利用者を前記撮影手段で撮影する撮影工程と、該撮影工程で撮影した撮影画像に対して利用者に前記入力手段で画像編集を許容する編集工程と、前記画像編集された編集画像から所定の画像を前記印刷手段で写真シールシートとして印刷する処理とを実行する写真シール自動販売方法であって、前記撮影工程により複数の撮影画像を取得した後、制限時間を設定した前記編集工程を上記撮影画像毎に実行し、先の編集工程が制限時間内に終了したとき、後の編集工程の制限時間を長くする写真シール自動販売方法、又は、撮影工程で利用者を撮影する撮影手段と、前記撮影工程で撮影した撮影画像に対して編集工程で利用者に画像編集を許容する入力手段と、前記画像編集された編集画像から所定の画像を写真シールシートとして印刷する印刷手段と、前記各手段を実行する制御手段とを備えた写真シール自動販売装置であって、前記撮影工程により複数の撮影画像を取得した後、制限時間を設定した前記編集工程を上記撮影画像毎に実行する処理と、先の編集工程が制限時間内に終了したとき、後の編集工程の制限時間を長くする処理とを前記制御手段に設定した写真シール自動販売装置であることを特徴とする。
【０００７】
すなわち、撮影工程で得た撮影画像に対する前記編集工程に編集制限時間を設定することで、利用者は全ての撮影画像に対して確実に画像編集が行え、いずれかの撮影画像に対する画像編集を失念した状態で時間切れとなることを防止することができる。
【０００８】
また、先の編集工程が制限時間内に終了したとき、後の編集工程の制限時間を長くすることにより、利用者は各工程に対して時間配分を自分好みに振り分けることが可能になる。
【０００９】
また好ましい実施の形態として、前記後の編集工程で、先の編集工程の編集画像を編集可能にすることができる。
すなわち、例えば編集工程で時間が余った場合等、必要に応じて先に編集工程が終了している撮影画像及び／又は編集画像に対してさらに編集を行うといったことができる。
【００１０】
また好ましい実施の形態として、前記撮影工程は、１つの撮影画像を決定するまで撮影のやり直しを許容することができる。
すなわち、利用者は納得できる撮影画像を得るまで撮影のやり直しを行った後、該撮影画像に対する画像編集を行えるため、仕上がりの写真シールシートに対する満足度が向上する。
【００１１】
【発明の実施の形態】
この発明の一実施形態を、図面と共に説明する。
まず、図１に示す写真シール自動販売機１の外観を表した斜視図と共に、写真シール自動販売機１の構成について説明する。
【００１２】
写真シール自動販売機１はボックス状の枠で囲まれ、その一側面には筐体２が設置される。
筐体２の正面上部には、中央にデジタルカメラ１７を正面よりわずかに下向けに備え、該デジタルカメラ１７は上下方向に撮影角度を変更可能に設ける。
【００１３】
前記デジタルカメラ１７を左右及び上部から囲むようにして半透明部材からなる３つの拡散版１６ａを備える。該拡散版１６ａの内部には、ストロボ発光する３つのストロボ照明装置１６（図２参照）を備えており、該ストロボ照明装置から照射される光は前記拡散版１６ａを通過して被写体を照明する。デジタルカメラ１７の左右に設けた前記拡散版１６ａは、板面を正面より内側へ向かってわずかに傾斜させ、デジタルカメラ１７の上部に設けた拡散版１６ａは、正面より下側へ向かってわずかに傾斜させることで、これらの各板面が被写体に向かうように形成されている。
【００１４】
筐体２の正面中央には、画像を表示するディスプレイ１８を備え、該ディスプレイ１８にはタッチパネル１４ｂを重ねて設け、タッチペン１４ａによって落書き等をペンタッチ入力する入力装置１４（後述）を備える。
筐体２の正面下部には、貨幣（例えば硬貨）を投入する投入口１５ａを備え、その右側側面に写真シールシート５を印刷して排出する写真シール排出口１９ａを備える。
【００１５】
写真シール自動販売機１の枠部の天井部には、平面視四角形で側面視及び正面視台形の反射板１６ｂを備える。該反射板１６ｂは、内部にストロボ照明装置１６（図２参照）を備え、底面には拡散板を設けて、被写体を上から照射する。
【００１６】
以上の構成により、主にデジタルカメラ１７を使用して撮影工程を、主にタッチペン１４ａ及びタッチパネル１４ｂを使用して編集工程を実行する。
【００１７】
次に図２に示す写真シール自動販売機１の制御回路ブロック図と共に、写真シール自動販売機１の構造について説明する。
制御処理を実行する制御部は筐体２（図１）の内部に設けられ、該制御部は、ＣＰＵ１２、ＲＯＭ１１、ＲＡＭ１３にて形成し、ＣＰＵ１２はＲＯＭ１１に格納されているプログラムを読み込んで制御処理を実行し、ＲＡＭ１３に処理用データの読書きを行う。この実施形態では、撮影を行う撮影工程及び落書きを行う編集工程のそれぞれに制限時間を設定しておき、各工程に残り時間ができると、ＣＰＵ１２はこの残り時間を一旦ＲＯＭ１１に記憶させ、次工程の制限時間に加算して処理を行う。
【００１８】
入力装置１４は、前述したようにディスプレイ１８に設けられたタッチパネル１４ｂとタッチペン１４ａとにより形成され、利用者にタッチペン１４ａで操作された内容に該当する信号を入力信号としてＣＰＵ１２に送信する。
貨幣処理装置１５は、前述の投入口１５ａの内部に設けられ、投入された貨幣（例えば硬貨）の真偽判別、金種判別を行い、投入金額を処理信号としてＣＰＵ１２に送信する。
【００１９】
ストロボ照明装置１６は、前述の拡散板１６ａの各内部に収納され、それぞれＣＰＵ１２からの照明制御信号に従ってストロボ発光を実行する。
デジタルカメラ１７は、ＣＰＵ１２よりシャッタ信号を受取り、動画データや静止画データといった画像データをＣＰＵ１２に送信する。
【００２０】
ディスプレイ１８は、ＣＰＵ１２より画像信号を受信し、該信号に従って画像を表示する。
プリンタ１９は、ＣＰＵ１２よりプリント画像データを受信し、写真シールシート５に該プリント画像を印刷して排出する。
【００２１】
スピーカ２０は、ＣＰＵ１２より音声信号を受取り、該信号に従って音声を鳴らす。
以上の構造により、ＣＰＵ１２で撮影工程と編集工程の制限時間を管理し、先の工程での使用時間に対応して後の工程の制限時間を可変する。
【００２２】
次に図３に示す処理フロー図と共に写真シール自動販売機１の動作について説明する。
利用者に貨幣（例えば硬貨）を投入口１５ａ（図１）に投入されると、貨幣処理装置１５（図２）は真偽判定、金種判定を実行し、ＣＰＵ１２に処理信号を送信して処理開始となる。
【００２３】
前記処理開始を受けて、ＣＰＵ１２はデジタルカメラ１７で撮影している映像をディスプレイ１８に動画表示し、同時に撮影開始ボタンをディスプレイ１８に表示して、利用者にタッチパネル１４ｂの前記撮影開始ボタンの位置をタッチペン１４ａでタッチされるのを待つ（ステップｎ１）。
【００２４】
利用者が前記撮影開始ボタンをタッチペン１４ａでタッチすると、ＣＰＵ１２はスピーカ２０に音声信号を送信して音声によるカウントダウンを開始する。そのカウントダウンの終了と共にストロボ照明装置１６を発光させ、同時にデジタルカメラ１７で静止画像を撮影する。この間ＣＰＵ１２は経過時間を管理しており、制限時間（例えば６０秒）が経過すれば強制的にステップｎ４に進む（ステップｎ２）。このとき、撮影画像が存在していればそれを撮影画像として強制的に採用し、まだ１枚も撮影されていない場合には強制的に撮影を実行してその撮影画像を採用する。
なお、前記制限時間は、撮影画像が決定されるまでの間、ＣＰＵ１２によってディスプレイ１８にカウントダウンして表示させ、制限時間が残り少なくなると（例えば残り１０秒）、ＣＰＵ１２がスピーカ２０に音声信号を送信して利用者に警告する。
【００２５】
撮影終了時に制限時間が経過していなければ、ＣＰＵ１２はディスプレイ１８に前記撮影画像を静止画表示し、同時にキープボタンと撮り直しボタンを表示する。利用者に撮り直しボタンをタッチされた場合はステップｎ１に戻る。キープボタンをタッチされた場合は、ＣＰＵ１２はステップｎ１からステップｎ３までの一連の工程Ａで経過した時間（例えば４０秒）を前記制限時間から減算し、算出された残時間（この場合は２０秒）をＲＡＭ１３に記憶させて次のステップに進む（ステップｎ３）。
【００２６】
ＣＰＵ１２はディスプレイ１８にＲＧＢ信号を送信して前記撮影画像を表示させ、ＲＯＭ１２に記憶させている工程Ａでの残時間（この場合は２０秒）をこれから実行する工程Ｂの制限時間（例えば６０秒）に加算して、制限時間を増加（この場合は８０秒）させる（ステップｎ４）。このとき同時にディスプレイ１８には次撮影ボタンと印刷ボタンを表示させる。
利用者はタッチペン１４ａにて図４の画面イメージ図に示すペン１８ａと消しゴムペン１８ｂで落書き画像１８ｃに落書きを行う。
【００２７】
ＣＰＵ１２は工程Ｂの経過時間を管理し、前記加算した制限時間内（この場合は８０秒）であれば次のステップに進み、制限時間が経過すればステップｎ７に強制的に進む（ステップｎ５）。
ＣＰＵ１２は、利用者が落書き中であれば、ステップｎ５に戻り、落書きが終了すれば次のステップに進む（ステップｎ６）。
【００２８】
利用者に印刷ボタンをタッチペン１４ａでタッチされると、ステップｎ１４へ一気に進む。次撮影ボタンをタッチされた場合には、ＣＰＵ１２はステップｎ４からステップｎ７までの工程Ｂでの経過時間（例えば５０秒）を制限時間（この場合は８０秒）から減算し、算出された残時間（この場合は３０秒）をＲＡＭ１３に記憶させて次のステップに進む（ステップｎ７）。
なお、この次撮影ボタンをタッチされるまでの間、ＣＰＵ１２は工程Ｂの制限時間（この場合は８０秒）をディスプレイ１８に表示させている制限時間表示部１８ｇ（図４）にカウントダウンして表示させ、制限時間が残り少なくなると（例えば残り１０秒）、ＣＰＵ１２がスピーカ２０に音声信号を送信して利用者に警告する。
【００２９】
次の工程Ｃはステップｎ８からステップｎ１０の３つのステップからなり、前記工程Ａと同じ動作で撮影処理を行う。ただしこのときは、工程Ｃの最初のステップｎ８でＣＰＵ１２は前記工程Ｂでの残時間（この場合は３０秒）を制限時間（６０秒）に加算して制限時間を増加（この場合は９０秒）して処理を行う（ステップｎ８からｎ１０）。
【００３０】
次の工程Ｄはステップｎ１１からステップｎ１２の３つのステップからなり、前記工程Ｂのステップｎ４からステップｎ６の３つのステップと同じ動作を行う。前記工程Ｃで例えば４０秒使用したとすると、残りの５０秒が工程Ｄに与えられている制限時間、例えば６０秒に加算され、利用者は１１０秒の間落書きを行うことができる（ステップｎ１１からｎ１３）。なお、この工程Ｄでの落書きにおいては、ＣＰＵ１２はサムネイル画像１８ｄ（図４）に工程Ｂでの落書き画像と工程Ｄでの落書き画像を縮小表示させ、利用者にタッチペン１４ａでタッチされることで落書き画像１８ｃを選択された落書き画像に入れ替える。これにより、利用者は工程Ｄで時間が余れば、工程Ｂでの落書きの続きを行うことができる。
【００３１】
次のステップでは、ＣＰＵ１２はディスプレイ１８にＲＧＢ信号を送信してシール分割数及び配置（例えば１６分割均等配置など）を選択させる画面を表示させ、利用者にタッチペン１４ａでタッチして選択させる（ステップｎ１４）。
【００３２】
前記選択がされると、ＣＰＵ１２は選択された分割数及び配置に従って落書き画像を配置した写真シールシート５をプリンタ１９に印刷させ、写真シール排出口１９ａから排出させる（ステップｎ１５）。
【００３３】
以上の構成、構造、動作により、利用者は撮影に時間をかけたい場合にはゆっくり撮影でき、落書きに時間をかけたい場合には手早く撮影を済ませてゆっくり落書きを行うことができる。また、撮影画像を得た後に該撮影画像に対して落書きを行うため、意図しない落書き漏れを防止することができる。
【００３４】
なお、上述の実施の形態において、工程Ｄの制限時間は以前の工程の残時間を加算して算出したが、工程Ａ、Ｂ、Ｃ、Ｄ全てのトータル時間を設定しておき（例えば２４０秒）、そこから工程Ａ、Ｂ、Ｃに要した時間（この場合は、工程Ａで４０秒、工程Ｂで５０秒、工程Ｃで４０秒）を減算して算出（この場合は１１０秒）しても良い。
【００３５】
また、工程Ａ、又は工程Ａ，Ｂ、又は工程Ａ，Ｂ，Ｃで前記トータル時間（２４０秒）に達したときは、その時点でステップｎ１４に進んで印刷等を実行した後に終了するように設定しても良い。
【００３６】
また、工程Ａと工程Ｂをまとめて制限時間を管理し（例えば１２０秒）、工程Ａが終了すれば（例えば１００秒）、その残時間（この場合は２０秒）が工程Ｂで使用できるようにしても良い。これにより、利用者は早く撮影して落書き時間を延ばすだけでなく、ゆっくり撮影して落書き時間は少しでよいといった時間の使い方ができる。
【００３７】
また、上記工程Ａと工程Ｂをまとめて制限時間を管理した場合は（１２０秒）、工程Ａと工程Ｂを合わせても制限時間内であれば（例えば４０秒＋２０秒＝６０秒を使用）、その残時間（つまり６０秒）を次に繰り越しても良いし、繰り越さなくても良い。繰り越した場合には、利用者にとって時間を十分使いきれる利点があり、繰り越さなかった場合には、アミューズメント施設の経営者にとって１販売に要する時間を短くして稼働率を高められる利点がある。
【００３８】
他の実施形態として、撮影工程である工程Ｅを２回繰り返し、編集工程である工程Ｆ，Ｇで２枚の撮影画像に落書きを行う場合について、図５に示す処理フロー図と共に説明する。
【００３９】
利用者に貨幣（例えば硬貨）を投入口１５ａ（図１）に投入されると、貨幣処理装置１５（図２）は真偽判定、金種判定を実行し、ＣＰＵ１２に処理信号を送信して処理開始となる。
【００４０】
前記処理開始を受けて、ＣＰＵ１２はデジタルカメラ１７で撮影している映像をディスプレイ１８に動画表示し、同時に撮影開始ボタンをディスプレイ１８に表示して、利用者にタッチパネル１４ｂの前記撮影開始ボタンの位置をタッチペン１４ａでタッチされるのを待つ（ステップｓ１）。
【００４１】
利用者が前記撮影開始ボタンをタッチペン１４ａでタッチすると、ＣＰＵ１２はスピーカ２０に音声信号を送信して音声によるカウントダウンを開始する。そのカウントダウンの終了と共にストロボ照明装置１６を発光させ、同時にデジタルカメラ１７で静止画像を撮影する。この間ＣＰＵ１２は経過時間を管理しており、制限時間（例えば６０秒）が経過すれば強制的にステップｓ５に進む（ステップｓ２）。このとき、撮影画像が存在していればそれを撮影画像として強制的に採用し、まだ１枚も撮影されていない場合には強制的に撮影を実行してその撮影画像を採用する。
なお、前記制限時間は、撮影画像が決定されるまでの間、ＣＰＵ１２によってディスプレイ１８にカウントダウンして表示させ、制限時間が残り少なくなると（例えば残り１０秒）、ＣＰＵ１２がスピーカ２０に音声信号を送信して利用者に警告する。
【００４２】
撮影終了時に制限時間が経過していなければ、ＣＰＵ１２はディスプレイ１８に前記撮影画像を静止画表示し、同時にキープボタンと撮り直しボタンを表示する。利用者に撮り直しボタンをタッチされた場合はステップｓ１に戻る。キープボタンをタッチされた場合は、ＣＰＵ１２はステップｓ１からステップｓ３までの一連の工程Ｅで経過した時間（例えば５０秒）を前記制限時間から減算し、算出された残時間（この場合は１０秒）をＲＡＭ１３に記憶させて次のステップに進む（ステップｓ３）。
【００４３】
ここで、キープされた撮影画像が１枚目であれば（つまり最後でなければ）、ステップｓ１に戻り、２枚目であれば（つまり最後であれば）、次のステップに進む（ステップｓ４）。
【００４４】
このとき、ＣＰＵ１２はディスプレイ１８にＲＧＢ信号を送信して前記撮影画像を表示させ、ＲＯＭ１２に記憶させている工程Ｅでの残時間（この場合は１０秒）をこれから実行する工程Ｆの制限時間（例えば６０秒）に加算して、制限時間を増加（この場合は７０秒）させる。これと同時にディスプレイ１８には印刷ボタンと、先の実施形態の次撮影ボタンに変えて次落書きボタン（図示省略）を表示させる（ステップｓ５）。
利用者はタッチペン１４ａにて図４の画面イメージ図に示すペン１８ａと消しゴムペン１８ｂで落書き画像１８ｃに落書きを行う。
【００４５】
ＣＰＵ１２は工程Ｆの経過時間を管理し、前記加算した制限時間内（この場合は７０秒）であれば次のステップに進み、制限時間が経過すればステップｓ９に強制的に進む（ステップｓ６）。
ＣＰＵ１２は、利用者が落書き中であれば、ステップｓ６に処理を戻し、落書きが終了すれば次のステップに処理を進める（ステップｓ７）。
【００４６】
利用者に印刷ボタンをタッチペン１４ａでタッチされると、ＳＰＵ１２はステップｓ１３へ一気に処理を進め、次落書きボタンをタッチされた場合には、ステップｓ５からステップｓ８までの工程Ｆでの経過時間（例えば５０秒）を制限時間（この場合は７０秒）から減算し、算出された残時間（この場合は２０秒）をＲＡＭ１３に記憶させて次のステップに処理を進める（ステップｓ８）。
なお、この次落書きボタンをタッチされるまでの間、ＣＰＵ１２は工程Ｆの制限時間（この場合は７０秒）をディスプレイ１８に表示させている制限時間表示部１８ｇ（図４）にカウントダウンして表示させ、制限時間が残り少なくなると（例えば残り１０秒）、ＣＰＵ１２がスピーカ２０に音声信号を送信して利用者に警告する。
【００４７】
次の工程Ｇはステップｓ９からステップｓ１２の４つのステップからなり、前記工程Ｆのステップｓ５からステップｓ８の４つのステップと同様の動作を行う。
【００４８】
現在工程Ｅ，Ｆを経て２０秒の余り時間があるため、工程Ｇの制限時間は本来の６０秒に２０秒を加算され、利用者は８０秒の間落書きを行うことができる（ステップｓ９からｓ１２）。なお、この工程Ｇでは、工程Ｆでディスプレイ１８に表示されていた次落書きボタンを前落書きボタンに変更する（図示省略）。
【００４９】
このとき、制限時間内（例えば５５秒）にステップｓ１２で利用者が前落書きボタンをタッチすると、ＣＰＵ１２は処理をステップｓ５に戻し、余り時間の間（つまり２５秒）１枚目の撮影画像に対する落書きを許容する。
【００５０】
次のステップｓ１３では、ＣＰＵ１２はディスプレイ１８にＲＧＢ信号を送信してシール分割数及び配置（例えば１６分割均等配置など）を選択させる画面を表示させ、利用者にタッチペン１４ａでタッチして選択させる（ステップｓ１３）。
【００５１】
前記選択がされると、ＣＰＵ１２は選択された分割数及び配置に従って落書き画像を配置した写真シールシート５をプリンタ１９に印刷させ、写真シール排出口１９ａから排出させる（ステップｓ１４）。
【００５２】
以上の動作により、撮影した２枚の撮影画像に対してそれぞれ制限時間を設定した編集工程で落書きを行うため、意図しない落書き洩れを防止することができる。
図５と共に説明したこの実施形態においても、他の構成・構造は先の実施形態と同様であるので、詳細な説明を省略する。
【００５３】
なお、以上の実施形態において前記ステップｓ４での最後か否かの判断は、例えば印刷終了ボタンを表示して利用者にタッチさせることで、２枚に限らず複数枚キープ可能に設定しても良い。
【００５４】
また、前記ステップｓ２で制限時間が経過したときに、ステップｓ４に進むように設定し、制限時間を設定した工程Ｅを複数回繰り返して実行することを可能に設定しても良い。
また、工程Ｅでの余り時間を次の工程Ｆに追加しない設定にしても良い。
【００５５】
この発明の構成と、上述の実施形態との対応において、
この発明の写真シール自動販売装置は、実施形態の写真シール自動販売機１に対応し、
以下同様に、
写真シールシートは、写真シールシート５に対応し、
制御手段は、ＣＰＵ１２、ＲＯＭ１１及びＲＡＭ１３に対応し、
入力手段は、入力装置１４に対応し、
撮影手段は、デジタルカメラ１７に対応し、
印刷手段は、プリンタ１９に対応し、
表示手段は、ディスプレイ１８に対応し、
撮影工程は、工程Ａ、工程Ｃ及び工程Ｅに対応し、
編集工程は、工程Ｂ、工程Ｄ、工程Ｆ及び工程Ｇに対応するも、
この発明は、上述の実施形態の構成のみに限定されるものではない。
【００５６】
【発明の効果】
この発明により、撮影を行った撮影画像に対して確実に編集を行うことができ、意図しない編集漏れによる利用者の失望を防止することができて、顧客満足度を向上することができる。
【００５７】
また、利用者は撮影を行う撮影時間と落書きを行う編集時間のバランスを自分の好みに変更することができる。すなわち、ゆっくり落書きをしたい利用者は撮影を早く済ませて編集時間を長く取ることができ、撮影に時間をかけたい利用者は、編集時間は短くなるが十分時間をかけて撮影を行うことができる。
【００５８】
また、１回の写真シール自動販売に要する時間は所定時間内に抑えられるため、利用者に編集時間を十分とって満足してもらっても販売時間が延長されず、例えばゲームセンター等のアミューズメント施設の経営者にとっては、顧客満足の向上と稼働率の確保を図ることができる。
【図面の簡単な説明】
【図１】写真シール自動販売機の外観を示す斜視図。
【図２】制御回路を示すブロック図。
【図３】撮影、編集及び印刷処理を示すフローチャート。
【図４】編集工程の画面イメージを示すイメージ図。
【図５】他の実施形態の撮影、編集及び印刷処理を示すフローチャート。
【符号の説明】
１…写真シール自動販売機
５…写真シール
１１…ＲＯＭ
１２…ＣＰＵ
１３…ＲＡＭ
１４…入力装置
１７…デジタルカメラ
１９…プリンタ
Ａ、Ｂ、Ｃ、Ｄ、Ｅ、Ｆ、Ｇ…工程
【図１】
2004078897.tif 000003
【図２】
2004078897.tif 000004
【図３】
2004078897.tif 000005
【図４】
2004078897.tif 000006
【図５】
2004078897.tif 000007